(57)【要約】　　　（修正有）【課題】使用者の最も正確な心肺機能の状態を掌握し、自動的に使用者に最も適した最良の心肺機能状態を設定して、効果的に最良の運動スケジュールと運動効果を掌握することができ、使用者の安全を脅かす事故の発生も排除することができる電子コントローラを提供する。【解決手段】心肺機能の測定値に従って人の運動プログラムを自動的に企画するコントローラーであって、ボテービル装置に設置された心肺機能測定器２０と、前記コントローラーの内部に配置されたマイクロプロセッサーにして、前記心肺機能測定器によって測定された心肺機能データを受け取った後操作者のための最適な運動プログラムを自動的に企画するマイクロプロセッサーと、を含む。【選択図】　　　図１
0003097720.tif 000002
【実用新案登録請求の範囲】
【請求項１】
心肺機能の測定値に従って人の運動プログラムを自動的に企画するコントローラーであって、ボテービル装置に設置された心肺機能測定器と、前記コントローラーの内部に配置されたマイクロプロセッサーにして、前記心肺機能測定器によって測定された心肺機能データを受け取った後操作者のための最適な運動プログラムを自動的に企画するマイクロプロセッサーと、を含む人の運動プログラムを自動的に企画するコントローラー。
【請求項２】
心肺機能の測定値に従って人の運動プログラムを自動的に企画するコントローラーであって、ボテービル装置に設置された心肺機能測定器と、前記コントローラーの内部に配置されたマイクロプロセッサーにして、国際標準体重データが入力されたマイクロプロセッサーと、を含み、該マイクロプロセッサーが体重と身長の人のデータの入力後、実際の体重と標準体重との間の差を計算し、その結果ある操作者のための最適な運動プログラムが、付加的に前記心肺機能の測定値を考慮する際に、自動的に決定されることができる人の運動プログラムを自動的に企画するコントローラー。
【請求項３】
請求項２に記載されたコントローラーにおいて、人の年齢、性のような入力データが考慮されて、前記体重差の良好な差値を得ることからなる人の運動プログラムを自動的に企画するコントローラー。
【考案の詳細な説明】
【０００１】
【考案の属する技術分野】
本考案は、心肺機能の測定値によって人の運動プログラムを自動的に企画するコントローラーに関したものであり、より詳しく言えば、運動に先立ってユーザーの心肺機能を測定し、測定されたデータが使用されて、ユーザーの最良の運動プログラムを自動的に決定することができるようにしたコントローラーに関したものである。
【０００２】
【従来の技術】
現在、運動健康器材において、自動的に企画しかつ設定するための運動プログラムは、すでに専業化と医学の領域に歩みを進めており、ユーザーに運動、リハビリ、およびダイエットなどでの専門的レベルの優良な効果を提供することが求められるようになっている。いわゆる健康器材の自動企画、設定された運動プログラムは、完全に電子操作コントローラーの基礎プログラムソフトの編纂するところに頼ったものであり、特定ユーザー個人の基本数値（年齢、性別、もしくは消耗したいカロリー数）を入力した後、再び自動的に比較的良好な運動プログラムを企画し、自動的に作動するよう運動器材を起動させるものである。
【０００３】
このほか、従来の使い慣れた電子操作コントローラーのなかには、いわゆる簡易型設計のもの、すなわち数種類の運動プログラムを内蔵しており、ユーザーが簡単にそのうちの一つの運動プログラム、例えば、マイクロプロセッサーにより自動制御される運動時間、速度、阻害力もしくは傾斜度などを選ぶことができるものもあり、きわめて便利で実用的であると言えよう。
【０００４】
【考案によって解決される課題】
しかし、当該の内蔵型自動コントローラーのプログラムは、万能型のコントロールパターンを採用しており、必ずしもすべての特定ユーザーのニーズに符合するわけではない。また、いわゆる年齢、性別などの個人基本数値も、特定ユーザーの体型、即ち、背が高い、低い、太っている、痩せている等、身体機能の情況を性格に反映することができず、年齢や性別だけを基本数値とした場合、往々にして大きな誤差が生じる。簡単に言えば、このような従来の使い慣れた電子コントローラーにおいて設定された運動スケジュールが全てのユーザーのニーズを満たすことは困難である。
【０００５】
いわゆる「消耗したい熱量値（カロリー）」に至っては、通常は医師やスポーツインストラクターが個々人の身長や体重の相関関係に沿って提案値を提起するものであり、数値は一定レベルでの参考価値とはなるものの、ユーザーの身長や体重が必ずしも一定値ではなく、また、後日変化が発生する可能性もある（特に体重では）。このためユーザーがそのつど個人の身長と体重の変化に注意を払ったり、もしくは医師やスポーツインストラクターの意見を聞いていなければ、これら数値は、往々にしてその基準値とは成りえなくなるであろう。
【０００６】
このほかに、今日使用している使い慣れた電子コントローラーのうち、心拍測定器との組合わせでユーザーの心拍を随時掌握しているものもある。この目的は、先ずユーザーの最高心拍数を入力し、心拍測定器が測定したユーザー個人の現段階での心拍数が当該の設定値に近づいた時、直ちにモーターに命令を下して適切な減速対応を講じ、ユーザーの心拍数過多が引き起こす生命の危険を防止するものである。
【０００７】
しかし、いわゆる「最高心拍数値」も、年齢及び性別を利用した基本演算値あるいは医師に提出してもらった参考値にしか過ぎない。だが当該数値は、ユーザー各個人の体型および身体機能の別によって変化するものであり、日ごとにその参考なる価値も失われてゆく。
【０００８】
【課題を解決するための手段】
上述の数々の要因に鑑み、本考案の考案者は無数の検証の後、唯一前述数項目の方式の欠点を効果的に取り除き、随時ユーザーの最も正確な心肺機能の状態を掌握し、自動的にユーザーに最も適した最良の心肺機能状態を設定する方式を発見した。これによって、効果的に最良の運動スケジュールと運動効果を掌握することができるほか、ユーザーの安全を脅かす事故の発生も排除することができるようになる。これが、本考案の主目的である。
【０００９】
次に、本考案のもう一つの目的は、各個人が毎回使用する時の運動ニーズに完全に符合し、誤差のない数値を算出することが可能になる人の運動プログラムを自動的に企画するコントローラーを提供することである。
各ユーザーの実際の体型を測定し、特定かつ安全な専門の運動プログラムを提供することにあり、このため自動もしくは手動の方式でユーザーの身長と体重を入力し、国際標準体重表に基づく入力をした後、随時当該ユーザーの体重と標準体重間の格差を算出し、また当該体重格差およびユーザーの心肺機能測定値によって、最高の運動プログラムの主な依拠を演算する。
当然、さらに進んで本考案の設計特徴及びその応用手段について考察し、図面を参照して以下の通り詳細に説明する。
【００１０】
【考案の実施の形態】
本考案の実施の形態を図面を参照して説明すると以下の通りである。
まず、本考案によるコントローラーである電子コントローラー１０は、心肺機能測定器２０に連結され、そのキットを健康運動器材３０の中に配置して使用されている。この電子コントローラー１０内に設けられたマイクロプロセッサーは、特定ユーザーが当該心肺機能測定器２０を使用して心肺機能測定値を得た後、直ちに自動的に当該特定ユーザーにとって最良の運動プログラムを自動的に企画し実行することができる。
【００１１】
次に、同様に当該電子コントローラー１０は、心肺機能測定器２０に連結され、そのキットを健康運動器材３０の中に配置して使用されている。その際、当該電子コントローラー１０の中に設けられたマイクロプロセッサーは、マイクロプロセッサー内に組み込まれた国際標準体重指数表に沿って、特定ユーザーの身長、体重など個人基本指数を入力し、直ちに自動的に当該の特定ユーザーに最も良好な運動プログラムを計画し実行することができる。
【００１２】
心肺機能測定器２０は、かなり幅広く使用された信頼性の高い医療計測器材であり、その操作と使用およびその検査方式も広く一般社会で知られているものである。当然、この心肺機能測定器２０は、本考案の特徴とするものではなく、ゆえに、これについてさらに詳細な説明はされていない。
【００１３】
簡単に言えば、本考案による電子コントローラー１０は、実際には同伴する健康指導コーチあるいは医療介護員と同様のものであり、随時各ユーザーに最も正確な運動での提案と最も適した運動スケジュールを提供することができるものである。同時に、ユーザーの心肺機能の範囲を考慮して、ユーザーの安全を確実に維持してゆく。
【００１４】
また、上記の国際標準体重指数表は、国際医学報告の公布した資料を参照にして、これを引用しており、その参考価値は国際的にも公認され疑う余地のないものであり、ゆえに考案者もこれについて贅言の必要と認めておらず、鑑察を求めるものである。
【００１５】
これにちなんで言えば、すべての旧式の電子コントローラーが取得したユーザーの体重値は、当該ユーザーが運動の過程において換算したカロリーの消耗値でしかない。しかし本考案では、医学理論に沿って、ユーザーの現在の心肺機能状態及びその身長、体重から特定ユーザーの心肺状態と体型（すなわち体重の格差によってユーザーを太っているか痩せているかを判断する）を算出する。そしてこの個人心肺機能状態および体型などの重要指数に基づいて最良の運動スケジュールを自動的に計画する。ゆえにその実用価値と健康効果は、使い慣れた同類製品の及ぶところではない。
【００１６】
上述の事項を総合すれば、本考案は確かな実用性と進歩性を備えた創作設計に基づくものである。
【図面の簡単な説明】
【図１】本考案の一実施の形態による運動器具に装着された人の運動プログラムを自動的に企画するコントローラーの概略図。
【符号の説明】
１０　電子コントローラー
２０　心肺機能測定器
３０　健康運動器材
【図１】
0003097720.tif 000003